(57)【要約】【課題】  記録されるデータ群のうち削除を所望する部分データを簡単に指定する。【解決手段】  ＨＤＤ５のディスクにアンテナ１で受信した放送番組のデータ群を記録しているときに、ユーザがリモコン１４の削除ボタン１４１を操作すると、ＣＰＵ１０は、削除ボタン１４１が操作されたタイミングに基づいて、記録されつつあるデータ群のうち該タイミングが示す期間に記録される部分データに関連付けて、該部分データの再生の省略を指示する削除開始インデックスと削除終了インデックスによる削除ポイントを記録する。削除ポイントの関連付けは該データ群の再生時にも行うことができる。削除ポイント関連付けがなされた後のデータ群の再生時には、ＣＰＵ１０はＨＤＤ５を、削除ポイントで示された期間に相当の部分データを読飛ばすように制御する。【選択図】        図１
2005196872.tif 000002
【特許請求の範囲】
【請求項１】
ディスク状の記録媒体にデータを記録するための記録部と、前記記録媒体からデータを読出して再生するための再生部と、外部から操作される複数のキーを有して前記キーの操作に応じた指示を入力する操作部と、前記記録部による記録動作と前記再生部による再生動作を制御する制御部とを備える記録再生装置であって、
前記制御部は、
前記記録部により時系列のデータ群が前記記録媒体に記録されるときに、前記操作部の所定キーが操作されたタイミングに基づいて、前記データ群のうち該タイミングが示す期間に記録されるデータに関連付けて、該データの再生の省略を指示する再生省略指示データを記録するための再生省略記録手段と、
前記記録媒体上のデータを記録可能な領域を示す記録可領域情報を参照して、前記記録部を、記録可能な領域にデータを記録させるように制御する領域情報参照手段と、
前記記録可領域情報を、前記記録可能領域に前記再生省略指示データが関連付けられたデータが記録された領域が含まれるように更新する領域情報更新手段とを有し、
前記領域情報更新手段は、
前記再生省略指示データが関連付けられたデータのうち、前記操作部のキー操作に応じた入力指示に基づいて選択されたデータの記録領域が含まれるように前記記録可領域情報を更新する選択的領域情報更新手段を含み、
前記再生省略指示データは、さらに、該再生省略指示データが関連付けられたデータの記録領域を指示し、
前記記録再生装置は、
前記操作部のキー操作に応じた入力指示に基づいて、前記再生省略指示データが指示するデータの記録領域を更新する再生省略指示更新手段と、
前記時系列のデータ群を記録または再生に並行して出力する出力部と、
前記再生省略指示データが関連付けられたデータの前記データ群における前記時系列上の位置を表示する再生省略位置表示手段と、
前記再生省略位置表示手段による前記位置の表示の際に、前記再生省略指示データが関連付けられたデータのうち、前記操作部のキー操作に応じた入力指示に基づいて選択された前記位置に対応のデータに従う情報を出力する再生省略データ出力手段とをさらに備え、
前記制御部は、さらに、
前記再生部により時系列のデータ群が前記記録媒体から読出されるときに、前記操作部の所定キーが操作されたタイミングに基づいて、前記データ群のうち該タイミングが示す期間に読出されるデータに関連付けて、該データの次回以降の再生の省略を指示する再生省略指示データを記録するための再生省略付与手段と、
前記再生部を、時系列のデータ群を前記記録媒体から読出すときには、前記再生省略指示データが関連付けられたデータを検索しながら読飛ばすように制御する読飛ばし制御手段と、
再生の対象となる前記データ群について、前記再生省略指示データが関連付けられたデータが含まれるか否かを検出する検出手段とを有し、
所望のデータ群の再生時には、前記検出手段により該データ群は含むと検出されたときにのみ前記読飛ばし制御手段が実行される、記録再生装置。
【請求項２】
ディスク状の記録媒体にデータを記録するための記録部と、外部から操作される複数のキーを有して、前記キーの操作に応じた指示を入力する操作部と、前記記録部による記録動作を制御する制御部とを備える記録装置であって、
前記制御部は、
前記記録部により時系列のデータ群が前記記録媒体に記録されるときに、前記操作部の所定キーが操作されたタイミングに基づいて、前記データ群のうち該タイミングが示す期間に記録されるデータに関連付けて、該データの再生の省略を指示する再生省略指示データを記録するための再生省略記録手段と、
前記記録媒体上のデータを記録可能な領域を示す記録可領域情報を参照して、前記記録部を、記録可能な領域にデータを記録させるように制御する領域情報参照手段と、
前記記録可領域情報を、前記記録可能領域に前記再生省略指示データが関連付けられたデータの記録領域が含まれるように更新する領域情報更新手段とを有し、
前記領域情報更新手段は、
前記再生省略指示データが関連付けられたデータのうち、前記操作部のキー操作に応じた入力指示に基づいて選択されたデータの記録領域が含まれるように前記記録可領域情報を更新する選択的領域情報更新手段を含み、
前記再生省略指示データは、さらに、該再生省略指示データが関連付けられたデータの記録領域を指示し、
前記記録装置はさらに、
前記操作部のキー操作に応じた入力指示に基づいて、前記再生省略指示データが指示するデータの記録領域を更新する再生省略指示更新手段と、
前記再生省略指示データが関連付けられたデータの前記データ群における前記時系列上の位置を表示する再生省略位置表示手段と、
前記再生省略位置表示手段による前記位置の表示の際に、前記再生省略指示データが関連付けられたデータのうち、前記操作部のキー操作に応じた入力指示に基づいて選択された前記位置に対応のデータに従う情報を出力する再生省略データ出力手段と、
前記時系列のデータ群を記録に並行して外部に出力する出力部と備える、記録装置。
【請求項３】
ディスク状の記録媒体からデータを読出して再生するための再生部と、外部から操作される複数のキーを有して前記キーの操作に応じた指示を入力する操作部と、前記再生部による再生動作を制御する制御部とを備える再生装置であって、
前記制御部は、
前記再生部により時系列のデータ群が前記記録媒体から読出されるときに、前記操作部の所定キーが操作されたタイミングに基づいて、前記データ群のうち該タイミングが示す期間に読出されるデータに関連付けて、該データの次回以降の再生の省略を指示する再生省略指示データを記録するための再生省略付与手段を有し、
前記記録媒体上のデータは、記録可能な領域を示す記録可領域情報を参照して記録可能な領域に記録される場合に、前記制御部は、前記記録可領域情報を、前記記録可能領域に前記再生省略指示データが関連付けられたデータが記録されていた領域が含まれるように更新する領域情報更新手段をさらに有し、
前記領域情報更新手段は、
前記再生省略指示データが関連付けられたデータのうち、前記操作部のキー操作に応じた入力指示に基づいて選択されたデータの記録領域が含まれるように前記記録可領域情報を更新する選択的領域情報更新手段を含み、
前記再生省略指示データは、さらに、該再生省略指示データが関連付けされたデータの記録領域を指示し、
前記制御部は、さらに、
前記再生部を、時系列のデータ群を前記記録媒体から読出すときには、前記再生省略指示データが関連付けられたデータを検索しながら読飛ばすように制御する読飛ばし制御手段と、
再生の対象となる前記データ群について、前記再生省略指示データが関連付けられたデータが含まれるか否かを検出する検出手段とを有し、
所望のデータ群の再生時には、前記検出手段により該データ群は含むと検出されたときにのみ前記読飛ばし制御手段が実行されて、
前記再生装置はさらに、
前記操作部のキー操作に応じた入力指示に基づいて、前記再生省略指示データが指示するデータの記録領域を更新する再生省略指示更新手段と、
前記再生省略指示データが関連付けられたデータの前記データ群における前記時系列上の位置を表示する再生省略位置表示手段と、
前記再生省略位置表示手段による前記位置の表示の際に、前記再生省略指示データが関連付けられたデータのうち、前記操作部のキー操作に応じた入力指示に基づいて選択された前記位置に対応のデータに従う情報を出力する再生省略データ出力手段と、
前記時系列のデータ群を再生に並行して外部に出力する出力部とを備える、再生装置。
【請求項４】
ディスク状の記録媒体にデータを記録するための記録部と、
外部から操作される複数のキーを有して、前記キーの操作に応じた指示を入力する操作部と、
前記記録部による記録動作を制御する制御部とを備え、
前記制御部は、
前記記録部により時系列のデータ群が前記記録媒体に記録されるときに、前記操作部の所定キーが操作されたタイミングに基づいて、前記データ群のうち該タイミングが示す期間に記録されるデータに関連付けて、該データの再生の省略を指示する再生省略指示データを記録するための再生省略記録手段を有する、記録装置。
【請求項５】
前記制御部は、さらに、
前記記録媒体上のデータを記録可能な領域を示す記録可領域情報を参照して、前記記録部を、記録可能な領域にデータを記録させるように制御する領域情報参照手段と、
前記記録可領域情報を、前記記録可能領域に前記再生省略指示データが関連付けられたデータの記録領域が含まれるように更新する領域情報更新手段とを有する、請求項４記載の記録装置。
【請求項６】
前記領域情報更新手段は、
前記再生省略指示データが関連付けられたデータのうち、前記操作部のキー操作に応じた入力指示に基づいて選択されたデータの記録領域が含まれるように前記記録可領域情報を更新する選択的領域情報更新手段を含む、請求項５に記載の記録装置。
【請求項７】
前記再生省略指示データは、さらに、該再生省略指示データが関連付けられたデータの記録領域を指示する、請求項４から６のいずれか１項に記載の記録装置。
【請求項８】
前記操作部のキー操作に応じた入力指示に基づいて、前記再生省略指示データが指示するデータの記録領域を更新する再生省略指示更新手段をさらに備える、請求項７に記載の記録装置。
【請求項９】
前記再生省略指示データが関連付けられたデータの前記データ群における前記時系列上の位置を表示する再生省略位置表示手段をさらに備える、請求項４から８のいずれか１項に記載の記録装置。
【請求項１０】
前記再生省略位置表示手段による前記位置の表示の際に、前記再生省略指示データが関連付けられたデータのうち、前記操作部のキー操作に応じた入力指示に基づいて選択された前記位置に対応のデータに従う情報を出力する再生省略データ出力手段をさらに備える、請求項９に記載の記録装置。
【請求項１１】
前記時系列のデータ群を記録に並行して外部に出力する出力部をさらに備える、請求項４から１０のいずれか１項に記載の記録装置。
【請求項１２】
ディスク状の記録媒体からデータを読出して再生するための再生部と、
外部から操作される複数のキーを有して、前記キーの操作に応じた指示を入力する操作部と、
前記再生部による再生動作を制御する制御部とを備え、
前記制御部は、
前記再生部により時系列のデータ群が前記記録媒体から読出されるときに、前記操作部の所定キーが操作されたタイミングに基づいて、前記データ群のうち該タイミングが示す期間に読出されるデータに関連付けて、該データの次回以降の再生の省略を指示する再生省略指示データを記録するための再生省略付与手段を有する、再生装置。
【請求項１３】
前記記録媒体上のデータは、記録可能な領域を示す記録可領域情報を参照して記録可能な領域に記録される場合に、
前記制御部は、前記記録可領域情報を、前記記録可能領域に前記再生省略指示データが関連付けられたデータの記録領域が含まれるように更新する領域情報更新手段をさらに有する、請求項１２記載の再生装置。
【請求項１４】
前記領域情報更新手段は、
前記再生省略指示データが関連付けられたデータのうち、前記操作部のキー操作に応じた入力指示に基づいて選択されたデータの記録領域が含まれるように前記記録可領域情報を更新する選択的領域情報更新手段を含む、請求項１３に記載の再生装置。
【請求項１５】
前記再生省略指示データは、さらに、該再生省略指示データが関連付けされたデータの記録領域を指示する、請求項１２から１４のいずれか１項に記載の再生装置。
【請求項１６】
前記操作部のキー操作に応じた入力指示に基づいて、前記再生省略指示データが指示するデータの記録領域を更新する再生省略指示更新手段をさらに備える、請求項１５に記載の再生装置。
【請求項１７】
前記再生省略指示データが関連付けられたデータの前記データ群における前記時系列上の位置を表示する再生省略位置表示手段をさらに備える、請求項１２から１６のいずれか１項に記載の再生装置。
【請求項１８】
前記再生省略位置表示手段による前記位置の表示の際に、前記再生省略指示データが関連付けられたデータのうち、前記操作部のキー操作に応じた入力指示に基づいて選択された前記位置に対応のデータに従う情報を出力する再生省略データ出力手段をさらに備える、請求項１７に記載の再生装置。
【請求項１９】
前記制御部は、さらに、
前記再生部を、時系列のデータ群を前記記録媒体から読出すときには、前記再生省略指示データが関連付けられたデータを検索しながら読飛ばすように制御する読飛ばし制御手段を有する、請求項１２から１８のいずれか１項に記載の再生装置。
【請求項２０】
前記制御部は、さらに、
再生の対象となる前記データ群について、前記再生省略指示データが関連付けられたデータが含まれるか否かを検出する検出手段を有し、
所望のデータ群の再生時には、前記検出手段により該データ群は含むと検出されたときにのみ前記読飛ばし制御手段が実行されることを特徴とする、請求項１９に記載の再生装置。
【請求項２１】
前記時系列のデータ群を再生に並行して外部に出力する出力部をさらに備える、請求項１２から２０のいずれか１項に記載の再生装置。
【発明の詳細な説明】
【技術分野】
【０００１】
この発明は映像、音声、文字などのデジタル情報を記録デバイスに記録する装置および再生する装置、ならびに記録再生装置に関し、特に、ディスク状の記録媒体にデジタル情報を記録する装置および再生する装置、ならびに記録再生装置に関する。
【背景技術】
【０００２】
従来より放送信号を受信して番組録画する装置において録画時にコマーシャルメッセージ（以下、ＣＭという）の放送を検出すると、これを録画しないようにしたり、また録画したとしても番組の再生時にＣＭの部分を検出するとこれをスキップして（早送りなどして）再生しないようにしていた。このような技術に関連して、記録されたデジタルコンテンツデータの時系列のデータ列について任意の時間区間を指定して、そのデータ列を削除したり、削除した後に、データ列の探索情報を生成してデータ列の連結情報を生成する方法が提供されていた（特許文献１を参照）。
【０００３】
また、所望シーンの画像を指定して映像を削除・追加の編集する機能が提供されている（特許文献２、３、４を参照）。
【特許文献１】特開２００１−１４８３３号公報
【特許文献２】特開平１０−１９１２４８号公報
【特許文献３】特開平１０−５１７３４号公報
【特許文献４】特開平６−３０２１５８号公報
【発明の開示】
【発明が解決しようとする課題】
【０００４】
しかしながら特許文献１−４には、削除のためのユーザ操作の具体的なものは何ら示されていない。
【０００５】
それゆえにこの発明の目的は、記録されるデータ群について、削除を所望する部分データを簡単に指定することができる記録装置、再生装置および記録再生装置を提供することである。
【課題を解決するための手段】
【０００６】
請求項１に係る発明は、
ディスク状の記録媒体にデータを記録するための記録部と、前記記録媒体からデータを読出して再生するための再生部と、外部から操作される複数のキーを有して前記キーの操作に応じた指示を入力する操作部と、前記記録部による記録動作と前記再生部による再生動作を制御する制御部とを備える記録再生装置であって、
前記制御部は、
前記記録部により時系列のデータ群が前記記録媒体に記録されるときに、前記操作部の所定キーが操作されたタイミングに基づいて、前記データ群のうち該タイミングが示す期間に記録されるデータに関連付けて、該データの再生の省略を指示する再生省略指示データを記録するための再生省略記録手段と、
前記記録媒体上のデータを記録可能な領域を示す記録可領域情報を参照して、前記記録部を、記録可能な領域にデータを記録させるように制御する領域情報参照手段と、
前記記録可領域情報を、前記記録可能領域に前記再生省略指示データが関連付けられたデータが記録された領域が含まれるように更新する領域情報更新手段とを有し、
前記領域情報更新手段は、
前記再生省略指示データが関連付けられたデータのうち、前記操作部のキー操作に応じた入力指示に基づいて選択されたデータの記録領域が含まれるように前記記録可領域情報を更新する選択的領域情報更新手段を含み、
前記再生省略指示データは、さらに、該再生省略指示データが関連付けられたデータの記録領域を指示し、
前記記録再生装置は、
前記操作部のキー操作に応じた入力指示に基づいて、前記再生省略指示データが指示するデータの記録領域を更新する再生省略指示更新手段と、
前記時系列のデータ群を記録または再生に並行して出力する出力部と、
前記再生省略指示データが関連付けられたデータの前記データ群における前記時系列上の位置を表示する再生省略位置表示手段と、
前記再生省略位置表示手段による前記位置の表示の際に、前記再生省略指示データが関連付けられたデータのうち、前記操作部のキー操作に応じた入力指示に基づいて選択された前記位置に対応のデータに従う情報を出力する再生省略データ出力手段とをさらに備える。
【０００７】
前記制御部は、さらに、
前記再生部により時系列のデータ群が前記記録媒体から読出されるときに、前記操作部の所定キーが操作されたタイミングに基づいて、前記データ群のうち該タイミングが示す期間に読出されるデータに関連付けて、該データの次回以降の再生の省略を指示する再生省略指示データを記録するための再生省略付与手段と、
前記再生部を、時系列のデータ群を前記記録媒体から読出すときには、前記再生省略指示データが関連付けられたデータを検索しながら読飛ばすように制御する読飛ばし制御手段と、
再生の対象となる前記データ群について、前記再生省略指示データが関連付けられたデータが含まれるか否かを検出する検出手段とを有し、
所望のデータ群の再生時には、前記検出手段により該データ群は含むと検出されたときにのみ前記読飛ばし制御手段が実行される。
【０００８】
請求項２に係る発明は、
ディスク状の記録媒体にデータを記録するための記録部と、外部から操作される複数のキーを有して、前記キーの操作に応じた指示を入力する操作部と、前記記録部による記録動作を制御する制御部とを備える記録装置であって、
前記制御部は、
前記記録部により時系列のデータ群が前記記録媒体に記録されるときに、前記操作部の所定キーが操作されたタイミングに基づいて、前記データ群のうち該タイミングが示す期間に記録されるデータに関連付けて、該データの再生の省略を指示する再生省略指示データを記録するための再生省略記録手段と、
前記記録媒体上のデータを記録可能な領域を示す記録可領域情報を参照して、前記記録部を、記録可能な領域にデータを記録させるように制御する領域情報参照手段と、
前記記録可領域情報を、前記記録可能領域に前記再生省略指示データが関連付けられたデータの記録領域が含まれるように更新する領域情報更新手段とを有し、
前記領域情報更新手段は、
前記再生省略指示データが関連付けられたデータのうち、前記操作部のキー操作に応じた入力指示に基づいて選択されたデータの記録領域が含まれるように前記記録可領域情報を更新する選択的領域情報更新手段を含み、
前記再生省略指示データは、さらに、該再生省略指示データが関連付けられたデータの記録領域を指示し、
前記記録装置はさらに、
前記操作部のキー操作に応じた入力指示に基づいて、前記再生省略指示データが指示するデータの記録領域を更新する再生省略指示更新手段と、
前記再生省略指示データが関連付けられたデータの前記データ群における前記時系列上の位置を表示する再生省略位置表示手段と、
前記再生省略位置表示手段による前記位置の表示の際に、前記再生省略指示データが関連付けられたデータのうち、前記操作部のキー操作に応じた入力指示に基づいて選択された前記位置に対応のデータに従う情報を出力する再生省略データ出力手段と、
前記時系列のデータ群を記録に並行して外部に出力する出力部と備える。
【０００９】
請求項３に係る発明は、
ディスク状の記録媒体からデータを読出して再生するための再生部と、外部から操作される複数のキーを有して前記キーの操作に応じた指示を入力する操作部と、前記再生部による再生動作を制御する制御部とを備える再生装置であって、
前記制御部は、
前記再生部により時系列のデータ群が前記記録媒体から読出されるときに、前記操作部の所定キーが操作されたタイミングに基づいて、前記データ群のうち該タイミングが示す期間に読出されるデータに関連付けて、該データの次回以降の再生の省略を指示する再生省略指示データを記録するための再生省略付与手段を有し、
前記記録媒体上のデータは、記録可能な領域を示す記録可領域情報を参照して記録可能な領域に記録される場合に、前記制御部は、前記記録可領域情報を、前記記録可能領域に前記再生省略指示データが関連付けられたデータが記録されていた領域が含まれるように更新する領域情報更新手段をさらに有し、
前記領域情報更新手段は、
前記再生省略指示データが関連付けられたデータのうち、前記操作部のキー操作に応じた入力指示に基づいて選択されたデータの記録領域が含まれるように前記記録可領域情報を更新する選択的領域情報更新手段を含み、
前記再生省略指示データは、さらに、該再生省略指示データが関連付けされたデータの記録領域を指示し、
前記制御部は、さらに、
前記再生部を、時系列のデータ群を前記記録媒体から読出すときには、前記再生省略指示データが関連付けられたデータを検索しながら読飛ばすように制御する読飛ばし制御手段と、
再生の対象となる前記データ群について、前記再生省略指示データが関連付けられたデータが含まれるか否かを検出する検出手段とを有し、
所望のデータ群の再生時には、前記検出手段により該データ群は含むと検出されたときにのみ前記読飛ばし制御手段が実行されて、
前記再生装置はさらに、
前記操作部のキー操作に応じた入力指示に基づいて、前記再生省略指示データが指示するデータの記録領域を更新する再生省略指示更新手段と、
前記再生省略指示データが関連付けられたデータの前記データ群における前記時系列上の位置を表示する再生省略位置表示手段と、
前記再生省略位置表示手段による前記位置の表示の際に、前記再生省略指示データが関連付けられたデータのうち、前記操作部のキー操作に応じた入力指示に基づいて選択された前記位置に対応のデータに従う情報を出力する再生省略データ出力手段と、
前記時系列のデータ群を再生に並行して外部に出力する出力部とを備える。
【００１０】
請求項４に係る記録装置は、
ディスク状の記録媒体にデータを記録するための記録部と、
外部から操作される複数のキーを有して、前記キーの操作に応じた指示を入力する操作部と、
前記記録部による記録動作を制御する制御部とを備え、
前記制御部は、
前記記録部により時系列のデータ群が前記記録媒体に記録されるときに、前記操作部の所定キーが操作されたタイミングに基づいて、前記データ群のうち該タイミングが示す期間に記録されるデータに関連付けて、該データの再生の省略を指示する再生省略指示データを記録するための再生省略記録手段を有する。
【００１１】
したがって、記録部により時系列のデータ群が記録媒体に記録されるときに、操作部の所定キーが操作されたタイミングに基づいて、データ群のうち該タイミングが示す期間に記録されるデータに関連付けて、該データの再生の省略を指示する再生省略指示データが記録される。
【００１２】
それゆえに、時系列のデータ群を記録時に、ユーザは任意のタイミングで所定キーを操作するという簡単操作で、該タイミングが示すユーザが所望する期間に記録されるデータについては、再生の省略を指示することができる。
【００１３】
これにより、記録されるデータ群について選択的に再生を省略する対象部分のデータを指定できるから、記録されるデータ群についての編集機能も提供されることになる。
【００１４】
請求項５に係る記録装置では、上述の制御部は、さらに、
前記記録媒体上のデータを記録可能な領域を示す記録可領域情報を参照して、前記記録部を、記録可能な領域にデータを記録させるように制御する領域情報参照手段と、
前記記録可領域情報を、前記記録可能領域に前記再生省略指示データが関連付けられたデータの記録領域が含まれるように更新する領域情報更新手段とを有する。
【００１５】
したがって、領域情報参照手段は記録可領域情報を参照しながら、記録可能とされる領域に記録部によるデータ記録がなされるように制御するが、この記録可領域情報が示す領域には、再生省略指示データが関連付けられたデータの記録領域が含まれる。
【００１６】
それゆえに、再生省略が指示されたデータが記録された領域は、他のデータを記録することが可能な領域として利用することができる。
【００１７】
請求項６に係る記録装置では、前記領域情報更新手段は、
前記再生省略指示データが関連付けられたデータのうち、前記操作部のキー操作に応じた入力指示に基づいて選択されたデータの記録領域が含まれるように前記記録可領域情報を更新する選択的領域情報更新手段を含む。
【００１８】
したがって、再生省略が指示されたデータが記録された領域のうちからキー操作に応じて選択されたデータの記録領域のみを、他のデータを記録することが可能な領域として利用することができる。
【００１９】
請求項７に係る記録装置では、前記再生省略指示データは、さらに、該再生省略指示データが関連付けられたデータの記録領域を指示する。したがって、再生省略指示データにより、該再生省略指示データが関連付けされたデータの記録領域を示すことができる。
【００２０】
請求項８に係る記録装置は、前記操作部のキー操作に応じた入力指示に基づいて、前記再生省略指示データが指示するデータの記録領域を更新する再生省略指示更新手段をさらに備える。
【００２１】
したがって、再生省略指示データが指示するデータの記録領域を、操作部のキー操作に応じた入力指示に基づいて更新することができる。
【００２２】
それゆえに、ユーザは再生省略指示データが示すデータの記録位置を示す記録領域を、キー操作して所望するように更新できるので、一旦、再生省略を所望するデータを決定した場合であっても、再生省略の対象となるデータを任意に変更することができる。
【００２３】
請求項９に係る記録装置は、前記再生省略指示データが関連付けられたデータの前記データ群における前記時系列上の位置を表示する再生省略位置表示手段をさらに備える。
【００２４】
したがって、再生省略位置表示手段により表示される位置により再生省略の対象となるデータのデータ群における時系列における時間的位置を確認できる。
【００２５】
請求項１０に係る記録装置は、前記再生省略位置表示手段による前記位置の表示の際に、前記再生省略指示データが関連付けられたデータのうち、前記操作部のキー操作に応じた入力指示に基づいて選択された前記位置に対応のデータに従う情報を出力する再生省略データ出力手段をさらに備える。
【００２６】
したがって、再生省略指示データが関連付けられるデータのうち、すなわち再生省略の対象となるデータのうちキー操作により選択された所望データに従う情報のモニタ出力と、再生省略位置表示手段による該所望データの前述の時系列上の時間的位置とを同時に確認することができる。
【００２７】
請求項１１に係る記録装置は、時系列のデータ群を記録に並行して外部に出力する出力部をさらに備える。したがって、記録に並行して記録されつつあるデータをモニタできるので、所望データをモニタ（出力）するタイミングで所定キーを操作すれば、該所望データに対して再生省略を指示できる。それゆえに、所望のデータについて再生省略指示データを関連付ける操作が容易となる。
【００２８】
請求項１２に係る再生装置は、
ディスク状の記録媒体からデータを読出して再生するための再生部と、
外部から操作される複数のキーを有して、前記キーの操作に応じた指示を入力する操作部と、
前記再生部による再生動作を制御する制御部とを備え、
前記制御部は、
前記再生部により時系列のデータ群が前記記録媒体から読出されるときに、前記操作部の所定キーが操作されたタイミングに基づいて、前記データ群のうち該タイミングが示す期間に読出されるデータに関連付けて、該データの次回以降の再生の省略を指示する再生省略指示データを記録するための再生省略付与手段を有する。
【００２９】
したがって、再生部により時系列のデータ群が記録媒体から読出されて再生されるときに、操作部の所定キーが操作されたタイミングに基づいて、データ群のうち該タイミングが示す期間に読出されるデータに関連付けて、該データの再生の省略を指示する再生省略指示データが付与される。
【００３０】
それゆえに、時系列のデータ群を再生時に、ユーザは任意のタイミングで所定キーを操作するという簡単操作で、該タイミングが示すユーザが所望する期間に読出されて再生されるデータについては、次回以降の再生の省略を指示することができる。
【００３１】
これにより、再生されるデータ群について選択的に再生を省略する部分のデータを指定できるから、データ群についての編集機能も提供されることになる。
【００３２】
請求項１３に係る再生装置は、前記記録媒体上のデータは、記録可能な領域を示す記録可領域情報を参照して記録可能な領域に記録される場合に、
前記制御部は、前記記録可領域情報を、前記記録可能領域に前記再生省略指示データが関連付けられたデータの記録領域が含まれるように更新する領域情報更新手段をさらに有する。
【００３３】
したがって、記録可領域情報を参照しながら、記録可能とされる領域にデータの記録がなされる場合には、この記録可領域情報が示す領域には、再生省略指示データが関連付けられたデータの記録領域が含まれる。
【００３４】
それゆえに、再生省略が指示されたデータが記録された領域は、他のデータを記録するための領域に利用することができる。
【００３５】
請求項１４に係る再生装置では、前記領域情報更新手段は、
前記再生省略指示データが関連付けられたデータのうち、前記操作部のキー操作に応じた入力指示に基づいて選択されたデータの記録領域が含まれるように前記記録可領域情報を更新する選択的領域情報更新手段を含む。
【００３６】
したがって、再生省略が指示されたデータが記録された領域のうちからキー操作に応じて選択されたデータの記録領域のみを、他のデータを記録することが可能な領域として利用することができる。
【００３７】
請求項１５に係る再生装置では、前記再生省略指示データは、さらに、該再生省略指示データが関連付けられたデータの記録領域を指示する。したがって、再生省略指示データにより、該再生省略指示データが関連付けされたデータの記録領域を示すことができる。
【００３８】
請求項１６に係る再生装置は、前記操作部のキー操作に応じた入力指示に基づいて、前記再生省略指示データが指示するデータの記録領域を更新する再生省略指示更新手段をさらに備える。
【００３９】
したがって、再生省略指示データが指示するデータの記録領域を、操作部のキー操作に応じた入力指示に基づいて更新することができる。
【００４０】
それゆえに、ユーザはキー操作して再生省略指示データが示すデータの記録位置を示す記録領域を所望するように更新できるので、一旦、再生省略を所望するデータを決定した場合であっても、再生省略の対象となるデータを任意に変更することができる。
【００４１】
請求項１７に係る再生装置は、前記再生省略指示データが関連付けられたデータの前記データ群における前記時系列上の位置を表示する再生省略位置表示手段をさらに備える。
【００４２】
したがって、再生省略位置表示手段により表示される位置により再生省略の対象となるデータのデータ群における時系列上の時間的位置を確認できる。
【００４３】
請求項１８に係る再生装置は、前記再生省略位置表示手段による前記位置の表示の際に、前記再生省略指示データが関連付けられたデータのうち、前記操作部のキー操作に応じた入力指示に基づいて選択された前記位置に対応のデータに従う情報を出力する再生省略データ出力手段をさらに備える。
【００４４】
したがって、再生省略指示データが関連付けられる、すなわち再生省略の対象となるデータのうちキー操作により選択された所望データに従う情報のモニタ出力と、再生省略位置表示手段による該所望データの前述の時系列上の時間的位置とを同時に確認することができる。
【００４５】
請求項１９に係る再生装置では、前記制御部は、さらに、
前記再生部を、時系列のデータ群を前記記録媒体から読出すときには、前記再生省略指示データが関連付けられたデータを検索しながら読飛ばすように制御する読飛ばし制御手段を有する。
【００４６】
したがって、記録媒体からデータ群を読出して再生するときには、読飛ばし制御手段は再生省略指示データが関連付けられたデータを検索しながら読飛ばすように制御する。
【００４７】
それゆえに、データ群が再生されるときには、再生省略が指示されたデータを除くデータのみを再生することができる。
【００４８】
請求項２０に係る再生装置では、
前記制御部は、さらに、
再生の対象となる前記データ群について、前記再生省略指示データが関連付けられたデータが含まれるか否かを検出する検出手段を有し、
所望のデータ群の再生時には、前記検出手段により該データ群は含むと検出されたときにのみ前記読飛ばし制御手段が実行される。
【００４９】
したがって、読飛ばし制御手段は、再生対象のデータ群に再生省略指示データが関連付けされたデータが含まれていると判定されたときにのみ実行される。
【００５０】
それゆえに、読飛ばし制御手段を用いた再生では、再生省略指示データが関連付けられたデータを検索しながら、これを読飛ばすようにして再生がなされるから、該検索動作を伴う分、再生に関する負荷は高くなる。ここでは、読飛ばし制御手段は、再生省略指示データが関連付けされたデータが含まれていると判定されたデータ群を再生するときにのみ実行されるから、データ群を再生するときに一律に、読飛ばし制御手段が実行される場合に比較して再生に関する負荷を低くできる。
【００５１】
請求項２１に係る再生装置は、
前記時系列のデータ群を再生に並行して外部に出力する出力部をさらに備える。
【００５２】
したがって、再生省略指示データが関連付けられる、すなわち再生省略の対象となるデータを、出力部の出力データをモニタしながらキー操作して決定することができる。
【発明の効果】
【００５３】
時系列のデータ群を記録または再生時に、ユーザは任意のタイミングで所定キーを操作するという簡単操作で、該タイミングが示すユーザが所望する期間に記録または再生されるデータについては、次回以降の再生の省略を指示することができる。
【００５４】
これにより、記録または再生されるデータ群について選択的に再生を省略する対象部分のデータを指定できるから、記録または再生されるデータ群についての編集機能も提供される。
【発明を実施するための最良の形態】
【００５５】
以下、この発明の実施の形態について図面を参照し説明する。ここでは記録される情報は映像信号および音声信号による画像データおよび音声データとしているが画像データのみ、または音声データのみであってもよく、また文字放送による文字データが記録されるようにしてもよい。
【００５６】
図１には、この発明の実施の各形態に係る記録再生装置の構成が示される。図１を参照して記録再生装置はＴＶ（テレビジョン）放送を受信するＴＶアンテナ１、ＴＶアンテナ１により受信された放送信号から所望チャネルに対応の放送信号を抽出するためのチューニング動作を行なうチューナ２、チューナ２により抽出された放送信号について所定の符号化方式に従いデジタル信号に変換するデジタル変換部３、デジタル変換部３により変換されて出力されたデジタル信号をコード化してデジタルデータとして出力するエンコーダ４、エンコーダ４から出力されたデジタルデータが記録され、供給電力が断たれても記録内容を保持できるＨＤＤ（ハードディスクドライブ）５、ＨＤＤ５へのデジタルデータの書込および読出を制御する書込／読出制御部６、ＨＤＤ５から読出されたデジタルデータを入力してデコードし、デジタル信号を出力するデコーダ７、デコーダ７から出力されたデジタル信号を入力しアナログ信号に変換して出力するアナログ変換部８、およびアナログ変換部８から出力されたアナログ信号を入力して映像、音声などにして出力するためのＴＶ受像機などの出力部９を備える。
【００５７】
さらに、図１の記録再生装置は、チューナ２のチューニング動作、エンコーダ４のエンコード動作、デコーダ７のデコード動作および書込／読出制御部６の動作を制御するためのＣＰＵ（中央処理装置の略）１０、ＣＰＵ１０がこれらを制御するための情報（プログラム、データなど）を記憶するためのＲＯＭ（Read Only Memory）１１とＲＡＭ（Random Access Memory）１２、外部に設けられたリモコン（リモートコントローラの略）１４からの赤外線信号による指令を受信し、データに変換して、ＣＰＵ１０に与える入力部１３およびＯＳＤ（on screen display）回路１５を備える。
【００５８】
ＯＳＤ回路１５はＣＰＵ１０から与えられるデジタル情報に基づく描画データを作成してアナログ変換部８に出力する。アナログ変換部８は描画データを入力すると、これとＨＤＤ５から読出されてデコーダ７を介して与えられるデータとをアナログデータに変換して出力部９に出力するので、出力部９には描画データの基づく画面においてＨＤＤ５から読出された動画（または静止画）が表示されることになる。
【００５９】
入力部１３は、リモコン１４からの指令を入力しない場合には、外部からの指令を入力するためのユーザにより操作される各種スイッチ、ボタンなどから構成されてもよい。
【００６０】
リモコン１４は、外部からユーザにより操作されるチャンネル指定などのためのテンキー１４０、後述の削除ボタン１４１、決定ボタン１４２、カーソルキー１４３およびスキップボタン１４４を備える。カーソルキー１４３は上下左右のそれぞれの方向について出力部９に表示されるカーソルなどのポイントを移動させるためのキーを含む。
【００６１】
なお、ＨＤＤ５についてのディスクへの情報の書込（記録）／読出（再生）はＣＰＵ１０の制御の下に読出／書込制御部６を介して行なわれる。
【００６２】
図２（Ａ）〜（Ｄ）にはＨＤＤ５のディスクにおけるデータのフォーマットが示される。ＨＤＤ５のディスクには、図２（Ａ）のように領域Ｅ１と領域Ｅ２が予め設けられる。領域Ｅ１とＥ２は異なる記憶領域である。
【００６３】
図２（Ａ）を参照して、領域Ｅ１には領域Ｅ２に記録されるデータを一括して管理するための情報が記録されるシステムブロックＳＢを有し、領域Ｅ２には複数の固定長のデータブロックＤＢｉ（ｉ＝１、２、３、…、ｎ）を有する。
【００６４】
図２（Ｂ）を参照して、システムブロックＳＢは、複数の管理情報Ｐｊ（ｊ＝１、２、３、・・・、ｍ）とマッピングテーブルＭＰＴを有する。管理情報Ｐｊは領域Ｅ２の複数のデータブロックＤＢｉにおいて記録される大量のデータを所定大きさの単位、たとえば異なる番組単位で分割した場合の各番組を構成する１つ以上のデータブロックＤＢｊからなるブロック群に対応して設けられており、ブロック群を特定する、すなわち該ブロック群に記録された番組を特定するためのインデックスデータＩＤｊ（ｊ＝１、２、３、…、ｍ）と対応の番組のデータを構成している１つ以上のデータブロックＤＢｉのうち先頭（最初）のデータが記録されたデータブロックＤＢｉを領域Ｅ２において指示するための先頭ブロック情報ＨＥＤｊ（ｊ＝１、２、３、…、ｍ）と有効／無効データＡＰｊ（ｊ＝１、２、３、…、ｎ）を対応付けて有する。有効／無効データＡＰｊについては後述する。
【００６５】
図２（Ｃ）を参照してデータブロックＤＢｉは該データブロックＤＢｉの前のデータ位置を示すデータ２１、次のデータ位置を示すデータ２２、開始時間を示すデータ２３、終了時間を示すデータ２４、実際にアンテナ１で受信した放送信号による番組の画像、音声の記録データ２５、インデックス時間データＩＴｋ（ｋ＝１、２、３、…、ｐ）およびオフセットデータＯＦｋ（ｋ＝１、２、３、…、ｐ）からなる複数の組、ならびに削除開始インデックスＩＤＳおよび削除終了インデックスＩＤＥを格納するための領域を有する。
【００６６】
番組が複数のデータブロックＤＢｉで構成されている場合に番組の情報の記録順または再生順に従い複数のデータブロックＤＢｉがアクセスされることになる。データ２１は、このように順次アクセスされる複数のデータブロックＤＢｉのうち当該データブロックＤＢｉの直前にアクセスされるデータブロックＤＢｉの領域Ｅ２における記録位置（アドレス）を示す。データ２２は、同様に次位にアクセスされるデータブロックＤＢｉの領域Ｅ２における記録位置（アドレス）を示す。直前または次位のデータブロックＤＢｉが存在しなければ、データ２１または２２は該当のデータブロックＤＢｉは存在しないことを示す。
【００６７】
データ２３と２４は、当該データブロックＤＢｉの記録データ２５についての記録の開始と終了の時間をそれぞれ示す。インデックス時間データＩＴｋは記録データ２５を構成している複数シーンのそれぞれを特定しオフセットデータＯＦｋはこれら複数シーンのそれぞれのデータが記録データ２５の先頭から何バイト目から記録開始されているかを示す。
【００６８】
削除開始インデックスＩＤＳおよび削除終了インデックスＩＤＥは削除が指示された期間に対応するまたは関連する開始シーンと終了シーンについてのインデックス時間データＩＴｋをそれぞれ指示する。削除開始インデックスＩＤＳおよび削除終了インデックスＩＤＥは削除が指示された期間に対応する開始シーンと終了シーンまでの間に記録される一連のデータの再生の省略を指示する。また、インデックス時間データＩＴｋは対応のオフセットデータＯＦｋと組になって登録されているので、インデックス時間データＩＴｋをそれぞれ指示している削除開始インデックスＩＤＳおよび削除終了インデックスＩＤＥにより、対応のオフセットデータＯＦｋは一意に特定できる。したがって、削除開始インデックスＩＤＳおよび削除終了インデックスＩＤＥにより、削除が指示された期間に対応する開始シーンと終了シーンまでの間に記録される一連のデータＨＤＤ５における記録領域が指示される。
【００６９】
図２（Ｄ）には図２（Ｂ）のマッピングテーブルＭＰＴの内容例が示される。マッピングテーブルＭＰＴには領域Ｅ２の複数のデータブロックＤＢｉそれぞれについて新たなデータの書込が可能な領域を有するか否かを示す情報が対応して登録されている。具体的には、該データブロックＤＢｉについてすべてデータ記録のために使用されていれば、使用データＵＦが、すべて未使用ならば全未使用データＡＵＦが、一部について未使用ならば一部未使用データＰＵＦが対応付けて登録される。全未使用データＡＵＦに対応のデータブロックＤＢｉには新たなデータが書込み可能である（書込みが許可されている）。
【００７０】
（実施の形態１）
ここで、ＨＤＤ５に記録される番組データについて、ユーザが該番組の映像をモニタしながら所望するシーンに対応するデータの削除を指示する操作について説明する。
【００７１】
図３（Ａ）と（Ｂ）には、本実施の形態１に係る削除の手順が模式的に示される。図３（Ａ）に示されるように記録中、もしくは記録した番組を再生中にＣＭなどの必要のない（所望しない）部分の情報が記録または再生されるときは、ユーザは削除ボタン１４１をワンタッチ操作して押下する（時間Ｔ１）。図１の記録再生装置では削除ボタン１４１が押下された後も通常通り記録もしくは再生が続行される。次にＣＭ終了などして削除を回避すべき（記録・再生を所望する）シーンになったときは、もう１度、ユーザは削除ボタン１４１をワンタッチ操作して押下する（時間Ｔ２）。図１の装置はこの削除ボタン１４１が押下された区間（時間Ｔ１〜Ｔ２）を削除すべき部分と判定する。削除すべき部分と判定されたデータは、次に該番組を再生処理するときはスキップされる（読み飛ばされる）（図３（Ｂ）を参照）。その結果、ユーザが削除を所望する部分の情報は、図３（Ａ）のような削除操作を予めしておけば、その後の再生処理では読飛される。この削除操作された部分の領域（データブロックＤＢｉ）は、別の番組の録画などに利用することができる。
【００７２】
（記録時の動作）
次に、図４のフローチャートに従い、図１の装置の記録時のユーザによる削除操作を伴う動作について説明する。図４のフローチャートに従うプログラムは予めＲＯＭ１１に記録されていると想定する。
【００７３】
まず、所望番組を録画するためにユーザは所望番組を放送しているチャネルの情報と番組の放送時間（開始と終了）の情報などをリモコン１４を介して入力する。ＣＰＵ１０は、入力された放送開始時間になったことを検知すると、以下のように記録動作を開始する。なお後述の削除ボタンの押下回数をカウントする変数は処理の開始毎に０などにリセットされていると想定する。
【００７４】
まず、ＣＰＵ１０はチューナ２を入力情報に基づいて所望番組を放送しているチャネルの放送信号を抽出するように制御するので、アンテナ１、チューナ２、デジタル変換部３およびエンコーダ４を介して、放送されている所望番組の放送時間に従う時系列のデータが導出される。
【００７５】
ＣＰＵ１０は、ＨＤＤ５のシステムブロックＳＢのマッピングテーブルＭＰＴを検索して、使用情報が全未使用データＡＵＦ（空きブロック）を示すデータブロックＤＢｉを特定し、特定したデータブロックＤＢｉに対応の使用情報を全使用データＵＦに更新する（ステップＳ（以下、単にＳと略す）２０）。その後、システムブロックＳＢのインデックスデータＩＤｉと先頭ブロック情報ＨＥＤｉを記録する。具体的には、インデックスデータＩＤｉに所望番組を特定するデータを書込み先頭ブロック情報ＨＥＤｉにＳ２０で特定したデータブロックＤＢｉを特定するデータを書込む（Ｓ２１）。
【００７６】
次に、ＣＰＵ１０は、所望番組の開始時間をデータブロックＳＢｉのデータ２４に書込み、また直前に当該所望番組についてのデータ２５が記録されたデータブロックＤＢ（ｉ−１）のデータ２１を書込む（Ｓ２２）。番組の録画開始時には直前のデータ２５が記録されたデータブロックＤＢ（ｉ−１）はまだ存在しないので、この場合にはデータ２１には何も書込まれないか空のデータ“ＮＵＬＬ”が書込まれる。次に、所望番組について導出された画像・音声データは当該データブロックＤＢｉにデータ２５として記録される（Ｓ２３）。
【００７７】
ここで、図１の装置では番組の録画に並行してＨＤＤ５に記録されつつあるデータは、その場で読出され、デコーダ３、アナログ変換部８を介して出力部９に画像（映像）・音声として出力される。したがって、ユーザは出力部９の出力内容をモニタしながら、削除を所望する部分の情報（画像・音声）を確認したときは、削除ボタン１４１を操作することにより該部分情報（画像・音声）を削除するように指定できる。
【００７８】
ＣＰＵ１０は、ユーザが削除ボタン１４１を押下するか否かを検出する（Ｓ２４）。押下を検出しなければ（Ｓ２４でＮＯ）、後述のＳ２５以降の処理に移行する。押下を検出すると削除ボタンの押下回数をカウントする変数の値を１だけインクリメントして（Ｓ２４でＹＥＳ）、該変数に基づきそれが１回目の押下を示す（値が１）か２回目の押下を示す（値が２）かを判別する（Ｓ３１）。１回目の押下であれば（Ｓ３１で１回目）、それは削除を所望する部分情報の開始位置を指示するための押下であるから、現在記録中のデータブロックＤＢｉに削除開始インデックスＩＤＳを記録し（Ｓ３２）、Ｓ２５の処理に移る。
【００７９】
また、２回目の押下であれば（Ｓ３１で２回目）、それは削除を所望する部分情報の終了位置を指示するための押下であるから、現在記録中のデータブロックＤＢｉに削除終了インデックスＩＤＥを記録する（Ｓ３３）。そして削除ボタン押下回数をカウントする変数の値をリセットして（Ｓ３４）、Ｓ２５の処理に移行する。
【００８０】
なお、ここでは説明を簡単にするために１ブロックＤＢｉ毎に、削除開始インデックスＩＤＳと削除終了インデックスＩＤＥの組が１組ずつ記録されると想定する。
【００８１】
その後、録画が終了したか否かが、番組の放送終了時間になったか否か、または番組の放送終了のコードが受信されて記録されたか否かなどに基づいて判定される（Ｓ２５）。
【００８２】
記録終了と判定されると（Ｓ２５でＹＥＳ）、一連の録画動作を終了するが、そうでなければ（Ｓ２５でＮＯ）、当該データブロックＤＢｉについてのデータ２５の書込を終了するか否かが判定される（Ｓ２６）。たとえば、データブロックＤＢｉの終端までデータ２５を書込み、これ以上書込みできない状態となれば、書込終了と判定し、そうでなければ書込終了でないと判定する。
【００８３】
書込終了と判定されない間はＳ２３〜Ｓ２６、Ｓ３１〜Ｓ３４の一連の処理が繰返される。書込終了と判定されると当該データブロックＤＢｉのデータ２５の終端に図示されない終端の符号が記録されるとともにデータ２４に終了時間が書込まれる（Ｓ２７）。その後、次位のデータブロックＤＢ（ｉ＋１）にデータ２５を記録するためにシステムブロックＳＢのマッピングテーブルＭＰＴが検索されて使用情報が全未使用データＡＵＦを示す空きのデータブロックＤＢ（ｉ＋１）が特定されて、特定されたデータブロックＤＢ（ｉ＋１）の使用情報は使用データＵＦに更新される（Ｓ２８）。
【００８４】
そして、先のデータブロックＤＢｉのデータ２２として、Ｓ２８で特定された次位のデータブロックＤＢ（ｉ＋１）を特定するデータが書込まれる（Ｓ２９）。
【００８５】
そして、特定された次位のデータブロックＤＢ（ｉ＋１）についてデータ２３にデータ２５の記録の開始時間とデータ２１に先のデータブロックＤＢｉを特定するデータがそれぞれ書込まれる（Ｓ２２）。その後Ｓ２３以降の処理で次位のデータブロックＤＢ（ｉ＋１）について同様にデータ２５の書込が行なわれる。
【００８６】
記録動作の終了と判定されると（Ｓ２５でＹＥＳ）、ＣＰＵ１０は今回の記録についてアクセスした各データブロックＤＢｉについて削除開始インデックスＩＤＳと削除終了インデックスＩＤＥが設定されているか否かを判定する。もし設定されたデータブロックＤＢｉがあるならば、次のように処理する（Ｓ３０）。
【００８７】
これらインデックスＩＤＳとＩＤＥで示す情報が該データブロックＤＢｉのデータ２５の先頭と終端を示すのであれば、そのデータブロックＤＢｉそのものが削除対象とされているので、該データブロックＤＢｉの直前のデータブロックＤＢｉのデータ２２を、当該データブロックＤＢｉのデータ２２を用いて更新する。そして、削除開始インデックスＩＤＳと削除終了インデックスＩＤＥが該データブロックＤＢｉのデータ２５の一部データの削除を指示していれば、該データブロックＤＢｉの使用情報を一部未使用データＰＵＦに更新する。
【００８８】
その後、削除開始インデックスＩＤＳと削除終了インデックスＩＤＥが設定されていたので、当該データブロックＤＢｉに対応の管理情報Ｐｊの有効／無効データＡＰｊを削除ポイントの指定が有効に設定されていることを示すように“有効”と書替える。
【００８９】
以上のように記録動作においては、記録されるデータを出力部９でモニタしながら削除を所望する部分情報については削除ボタン１４１をその開始時点と終了時点の２回操作するだけという簡単操作で削除を所望する部分情報を一意に指定することができる。
【００９０】
また削除が指示されたデータに対応のデータブロックＤＢｉの使用情報は記録動作終了時には全未使用データＡＵＦに更新されるから、その後の番組の記録動作においては記録領域（データの上書きが許可された領域）として利用することができる。
【００９１】
（再生動作について）
図５のフローチャートに従い、図１の装置の再生時のユーザによる削除操作を伴う動作を説明する。図５のフローチャートに従うプログラムは予めＲＯＭ１１に格納されていると想定する。また、各データブロックＤＢｉについて削除開始インデックスＩＤＳと削除終了インデックスＩＤＥは未設定であると想定する。
【００９２】
まず、ＨＤＤ５のディスクに予め記録された番組の情報のうち、所望する番組を指定して、該所望番組の情報の再生の指示がコントローラ１４を介して入力されると、ＣＰＵ１０は、以下のように所望番組の再生を開始する。
【００９３】
まず、システムブロックＳＢをアクセスして指定された所望番組に対応のインデックスデータＩＤｊをＨＤＤ５のシステムブロックＳＢにおいて特定して、特定されたインデックスデータＩＤｊに対応の先頭ブロック情報ＨＥＤｊを検索する（Ｓ１）。そして、以下のようにデータブロックをアクセスする。
【００９４】
検索された先頭ブロック情報ＨＥｊにより指示される領域Ｅ２のデータブロックＤＢｉを特定して、特定したデータブロックＤＢｉのインデックス時間データＩＴｋを読込み（Ｓ２）読込んだインデックス時間データＩＴｋに基づいて必要なデータがあるかないかを判定する（Ｓ３）。
【００９５】
たとえば、コントローラ１４を介して再生を所望するシーンなどの特定シーンが指示されていた場合は、指示されたシーンに対応のインデックス時間データＩＴｋが読込んだインデックス時間データＩＴｋに含まれているか否かを判定する。含まれていれば必要なデータがあると判定され、そうでなければ後述のＳ７の処理に移行する。
【００９６】
また、特定のシーンが指示されていなければ、必要なデータありと判定される。
【００９７】
Ｓ３の処理において、必要なデータありと判定されると（Ｓ３でＹＥＳ）当該データブロックＤＢｉのデータ２５の読出がなされる（Ｓ４）。
【００９８】
Ｓ４におけるデータ２５の読出は、Ｓ３で判定された必要なシーンのデータに該当のインデックス時間データＩＴｋに対応のオフセットデータＯＦｋに基づいて、データ２５の中から読出される。特にシーンが指示されていない場合はすべてのデータ２５が読出される。このようにして読出されたデータによる画像（映像）・音声は出力部９を介してモニタ出力される。ユーザが、再生される番組を確認しながら削除を所望する部分の情報（画像・音声）を確認したときは、削除ボタン１４１を削除の開始時点（図３の時間Ｔ１）、削除の終了時点（図３の時間Ｔ２）において２回操作することにより削除の部分を指定することができる（Ｓ５、Ｓ９〜Ｓ１２）。この処理は図４で説明したＳ２４、Ｓ３１〜Ｓ３４の処理と同様であるから説明を省略する。
【００９９】
その後、当該データブロックＤＢｉからのデータ２５の読出が終了するまで（Ｓ６でＹＥＳ）、データ２５の読出（Ｓ４）が繰返される。データ２５の読出の終了は、データ２５の再生判定したり、データ２５の中の図示されない終端符号に基づいて判定したりゼロデータの検出に応じて判定したり、番組の放送終了時間で判定したりする。
【０１００】
当該データブロックＤＢｉからのデータの読出が終了すると（Ｓ６でＹＥＳ）、当該データブロックＤＢｉのデータ２２が読出されて、読出されたデータ２２に基づいて次位のデータブロックＤＢｉがあるか否か判定される（Ｓ７）。データ２２が次位のデータブロックＤＢｉが存在しないことを示せば（Ｓ７でＮＯ）、Ｓ１３の処理が実行される。このＳ１３の処理は図４のＳ３０で説明した処理と同様であるから詳細は省略する。
【０１０１】
データ２２が次位のデータブロックＤＢｉの位置（アドレス）を示していれば（Ｓ７でＹＥＳ）、示された位置（アドレス）に基づいて領域Ｅ２の次位のデータブロックＤＢ（ｉ＋１）を検索して、検索したデータブロックＤＢ（ｉ＋１）のインデックス時間データＩＴｋを読込む（Ｓ８）。その後、ステップＳ３に戻り、以下、同様にして、当該データブロックＤＢ（ｉ＋１）から必要なデータ２５の読出が行なわれる。
【０１０２】
このように、各データブロックＤＢｉについての再生の処理が繰返されることにより、所望する番組を構成するデータブロックＤＢｉのそれぞれからデータ２５が読出されて再生出力される。
【０１０３】
上述のように読出されて再生されるデータを出力部９でモニタしながら削除を所望する部分情報については、削除ボタン１４１をその開始時点と終了時点の２回操作するという簡単操作でユーザは削除を所望する部分情報を一意に指定することができる。
【０１０４】
（実施の形態２）
本実施の形態では、実施の形態１のユーザ操作による削除ポイント設定後の再生手順が示される。
【０１０５】
再生の対象となる番組に、図４または図５の手順に従い削除開始インデックスＩＤＳと削除終了インデックスＩＤＥとで示される削除ポイントが指定された番組が含まれる場合の番組再生の手順について、図６のフローチャートに従い説明する。図６のフローチャートに従うプログラムは、予めＲＯＭ１１に記録されていると想定する。
【０１０６】
図６では所望番組の再生が開始されるとＳ１〜Ｓ３、Ｓ４〜Ｓ８の処理が図５と同様に実行される。
【０１０７】
その処理の実行中において各データブロックＤＢｉについて削除開始インデックスＩＤＳが検出されるか否かが判定される（Ｓ３ａ）。
【０１０８】
検出されると（Ｓ３ａでＹＥＳ）、当該データブロックＤＢｉのデータ２５の読出（Ｓ６）は削除開始インデックスＩＤＳが示すオフセットＯＦｋの位置からスキップされて、対応する削除終了インデックスＩＤＥが示すオフセットＯＦｋを、すなわち削除終了位置をデータ２５において検出するためにサーチする（Ｓ３ｂとＳ３ｃのループ処理）。
【０１０９】
削除終了位置を検出すると、その位置をデータ２５の次の読出開始位置と認識して、Ｓ４以降の読出動作に移行する。
【０１１０】
したがって、削除ポイントが指定済みの番組が再生される場合には、各データブロックＤＢｉのデータ２５については、読出された削除開始インデックスＩＤＳと削除終了インデックスＩＤＥで指定される部分のデータはスキップされて再生されることはないから、ユーザが削除すると指定した部分のデータは、その後の再生動作時に再生されることはない。
【０１１１】
上述の手順では、再生時には、各データブロックＤＢｉが再生される都度、該データブロックＤＢｉについて削除開始インデックスＩＤＳが設定済みか否かについて確認する処理（Ｓ３ａ）を実施するようにしていたが、図７の手順のようにしてもよい。
【０１１２】
図７の手順では、番組ごとの有効／無効データＡＰｊに基づいて、再生対象の番組が削除ポイント（削除開始インデックスＩＤＳと削除終了インデックスＩＤＥ）が設定済みの番組であるか否かを判定して（Ｓ２ａ）、判定結果、それが有効であれば図６で示したＳ３以降の処理を実行するようにし、無効であれば図７のＳ３〜Ｓ７の処理を実行するように、選択的に切換えるようにしてもよい。
【０１１３】
このようにすることで削除ポイントの設定された番組を再生するときに限って各データブロックＤＢｉについて削除ポイントの検出処理がなされるから、すべての番組について再生時には各データブロックＤＢｉについて削除ポイントの検出処理を実行する場合に比較して、削除ポイントの番組再生に係るＣＰＵ１０の負荷が上昇するのを抑制できる。
【０１１４】
実施の形態１では削除ポイントの設定は削除ボタン１４１のワンタッチ操作の繰返しであるために、該操作内容にミスが生じるかもしれない。そのため、ミス設定された削除ポイントに対応のデータが削除されてしまう（上書き可能とされてしまう）のを回避するために次の実施の形態３と４が示される。実施の形態３では、実施の形態１で設定された削除部分を、その後のユーザの操作により更新する手順例が２つ示されて、実施の形態４では編集する手順例が２つ示される。
【０１１５】
（実施の形態３）
（第１の例）
実施の形態１の手順で設定された削除開始インデックスＩＤＳと削除終了インデックスＩＤＥによる削除ポイントは、図８の手順に従って任意に設定を解除することができる。
【０１１６】
図８の手順に従えば、ユーザが有効／無効データＡＰｊの設定解除を所望して、その旨の指示をリモコン１４を介して図１の装置に与えた場合には、ＣＰＵ１０は該指示を入力して、応じて図９のような画面を出力部９に表示する。
【０１１７】
図９の画面のために、ＣＰＵ１０は、システムブロックＳＢを参照して、記録済みの番組のそれぞれについてインデックスデータＩＤｊが示す番組のタイトルを読出してＯＳＤ回路１５を介して一覧にして表示する（Ｓ４０）。この番組のタイトル一覧では、対応の有効／無効データＡＰｊが“有効”を示す番組のタイトルのみを一覧表示する。
【０１１８】
ユーザは、図９の画面を参照して、所望の番組タイトルをカーソルキー１４３を操作して指定し（図９では矢印ＡＲで示すタイトルが指定されている）、続いて決定ボタン１４２を押下すると（Ｓ４１、Ｓ４２でＹＥＳ）、ＣＰＵ１０は該タイトルの番組に対応の“有効”の表示を“無効”と切替えて、システムブロックＳＢの該番組についての有効／無効データＡＰｊを“無効”に書替える（Ｓ４３）。
【０１１９】
その後、カーソルキー１４３による番組指定が終了したか否かが判定される（Ｓ４４）。指定が終了すれば一連の処理は終了するが、そうでなければＳ４１の処理に戻り以降の処理が同様に繰返される。
【０１２０】
図８の手順に従えば、ユーザの操作により任意に各番組についての有効／無効データＡＰｊを“有効”→“無効”に書替えることができる。このように書替えられた番組を図７の手順で再生処理するときには、無効化指示ありと判定されて（Ｓ２ａでＹＥＳ）、図７のＳ３〜Ｓ７の処理が実行されることになる。
【０１２１】
（第２の例）
実施の形態１の手順で設定された削除開始インデックスＩＤＳと削除終了インデックスＩＤＥによる削除ポイントは、図１０の手順に従って任意に設定を解除することができる。この手順を以下に説明する。
【０１２２】
まずＣＰＵ１０はユーザの所望に応じたリモコン１４からの操作による指示を入力すると、ＨＤＤ５に記録済みの番組のタイトル一覧を図１１のようにＯＳＤ回路１５を介して出力部９に表示する。
【０１２３】
ユーザは番組タイトル一覧から所望する番組のタイトルをリモコン１４を操作して選択すると、ＣＰＵ１０は図１２の操作メニューをＯＳＤ回路１５を介して出力部９に表示する。ユーザは図１２のメニュー項目のうち‘削除ポイントの更新’を選択するので、ＣＰＵ１０はリモコン１４から該選択指示を入力すると、図１０の処理を開始する。この処理開始時には図２（Ａ）〜（Ｄ）のデータ２５を除くデータはＨＤＤ５から読出されて、ＲＡＭ１２に一時的に置かれて更新される。処理終了後には更新された内容はＲＡＭ１２から読出されてＨＤＤ５の元の内容に上書き（記録）される。
【０１２４】
まずＣＰＵ１０は、ＯＳＤ回路１５を介して出力部９に図１３の画面を表示する（Ｓ５０）。図１１の画面で選択された番組は実施の形態１の手順で削除ポイントが設定されていると想定する。ＣＰＵ１０はＲＡＭ１２において選択された番組のデータブロックＤＢｉを検索してデータ長を求めて、求めたデータ長における削除ポイント（削除開始インデックスＩＤＳと削除終了インデックスＩＤＥ）が示す削除のデータ位置と長さを求める。そして、図１３の画面のように、番組データ長を示すライン２０において削除の対象となったデータの該番組データ群の時系列上の位置と長さ（大きさ）を相対的に示す帯状のボックス３０と３１を表示する。
【０１２５】
図１３ではカーソルＣＲでボックス３０が指示された状態であって、該ボックス３０のデータを削除してよいか否かを問合わせるメッセージボックス４１が表示される。またカーソルＣＲで指示されるボックスの映像を繰返し表示するための領域４０も同一画面に設けられる。領域４０の映像は次のように表示される。つまり、カーソルＣＲが指示するボックスに対応のデータ２５をＣＰＵ１０がＨＤＤ５から読出し、デコーダ７からアナログ変換部８に出力することにより、ＯＳＤ回路１５から出力された描画データと合成されて動画表示される。
【０１２６】
図１０に戻り、ＣＰＵ１０は１つめの削除部分（例えばボックス３０）をカーソルＣＲで指示する（Ｓ５１）。そして、カーソルＣＲで指示されているボックスに対応の映像を領域４０に繰返し表示する（Ｓ５２）。
【０１２７】
ユーザは領域４０の映像をモニタして、現在指示されている削除部分（ボックス）について完全削除処理を実施するか否か（ＯＫまたはＮＧ）を判断して、その指示をリモコン１４を介して入力する（Ｓ５３）。ここで、‘完全削除処理’とは、該削除部分に対応のデータについて、ブロックＤＢｉ単位で、マッピングテーブルＭＰＴにおける対応の使用情報を使用データＵＦから全未使用データＡＵＦに更新する処理を指す。なお、一部未使用データＰＵＦであるデータブロックＤＢｉについては該更新はなされない。
【０１２８】
ＮＧが入力されると（Ｓ５３でＮＯ）後述のＳ５６の処理に移行するが、ＯＫが入力されると（Ｓ５３でＹＥＳ）ＣＰＵ１０はカーソルＣＲが指示していたボックスをライン２０の表示に変更して（Ｓ５４）、該ボックスのデータについて完全削除処理を行う（Ｓ５５）。
【０１２９】
その後、ＣＰＵ１０は次のボックスがあるか否かを判定して（Ｓ５６）、あればＳ５１に戻り次の削除部分のボックスをカーソルＣＲで指示するようにして、以降の処理が同様に繰返される。次にボックスがなければ、図１０の処理は終了して例えば図１１または図１２の画面を表示する。
【０１３０】
このような更新手順が行われることにより、実施の形態１で指定された削除部分のデータについて、ユーザの了解の下に完全削除処理が実施されるから、削除部分の指定操作ミスのために必要なデータが誤って完全削除されるのを回避できる。また、完全削除されたデータに対応の使用情報は全未使用データＡＵＦに更新されるから、ＨＤＤ５における該データが記録されていた領域を、新たなデータの書込み領域として利用できる。
【０１３１】
（実施の形態４）
実施の形態１で設定された削除部分を、その後のユーザの操作により更新（編集）する２つの例を以下に示す。
【０１３２】
（第１の例）
設定した削除ポイント（削除開始インデックスＩＤＳと削除終了インデックスＩＤＥ）は、図１４のフローチャートに従い、ユーザの操作により編集することも可能である。
【０１３３】
まず、削除ポイントの編集モード時には図１４において、ＣＰＵ１０はシステムブロックＳＢから、有効／無効データＡＰｊが“有効”を示すインデックスデータＩＤｊの番組のタイトルの一覧を出力部９に図１５のように表示する。ユーザが番組のタイトル一覧表示を参照して、カーソルキー１４３を操作してたとえば、矢印ＡＲの番組を指定して、続いて削除部分の開始ポイント（削除開始インデックスＩＤＳ）および終了ポイント（削除終了インデックスＩＤＥ）のいずれの編集であるかを、図１５の画面のボタン９１または９２を指定することにより指示する（Ｓ６０）。ＣＰＵ１０は、続いてユーザが決定ボタン１４２を押下したことを検出すると編集指示が入力されたと判別する（Ｓ６１）。ＣＰＵ１０は指定されたポイントに対応のシーンデータを対応ブロックＤＢｉのデータ２５から読出して、図１５の同一画面の領域９４に表示する（Ｓ６２）。
【０１３４】
ユーザは、表示されたシーンを確認して、カーソルキー１４３の右方向のカーソルキーを長押し操作すると、長押ししている期間に応じて指示したポイントを図３の時間軸の矢印方向に進めることができる（Ｓ６３でＹＥＳ）。
【０１３５】
ＣＰＵ１０は長押しされている期間は対応ブロックＤＢｉのＳ６０で指示されたポイントから以降に記録されているシーンデータをデータ２５から順次読出し領域９４に更新しながら表示する（Ｓ６５）。ユーザは、領域９４に所望のシーンが表示された時点でカーソルキーの長押しを終了して（Ｓ６６でＹＥＳ）、続いて決定ボタン１４２を押下する（Ｓ６７でＹＥＳ）。これにより、ＣＰＵ１０は、そのときに表示しているシーンに対応のインデックス時間データＩＴｋを用いてＳ６０で指示されたポイント（削除開始インデックスＩＤＳまたは削除終了インデックスＩＤＥ）を変更する（Ｓ６８）。
【０１３６】
その後、ＣＰＵ１０は画面の終了ボタン９３がリモコン１４の操作により入力されるか否かを判定する（Ｓ６９）。入力された場合には、一連の処理を終了するが、そうでない場合はＳ６１の処理に戻る。
【０１３７】
一方、長押し終了後も決定ボタン１４１が押下されないときは（Ｓ６７でＮＯ）、処理はＳ６１に戻る。
【０１３８】
また、Ｓ６３でカーソルキーの長押しがされないと判定されたときは、終了ボタン９３が入力されるか否か判定する（Ｓ６４）。終了ボタンが入力されたならば一連の処理を終了し、そうでなければＳ６１の処理に戻る。
【０１３９】
なお、ここでは削除開始インデックスＩＤＳまたは削除終了インデックスＩＤＥが図３の時間軸の矢印方向に進めるような更新としたが、この矢印方向とは逆方向に進めるように更新としてもよい。
【０１４０】
また、削除開始インデックスＩＤＳが削除終了インデックスＩＤＥを越えて設定されるように編集されたり、または削除終了インデックスＩＤＥが削除開始インデックスＩＤＳを越えて設定されるように編集されたりして、削除の開始ポイントと削除の終了ポイントの位置が逆転するような編集操作がなされた場合には、ＣＰＵ１０は出力部９に、その旨のメッセージとともに、適切な編集操作をアドバイスするためのメッセージを表示するようにしてもよい。
【０１４１】
（第２の例）
実施の形態１の手順で設定された削除開始インデックスＩＤＳと削除終了インデックスＩＤＥによる削除ポイントは、図１６の手順に従って編集し、所望に応じて完全削除することができる。この手順を以下に説明する。
【０１４２】
まずＣＰＵ１０は前述と同様にしてＯＳＤ回路１５を介して図１１と図１２の画面を出力部９に表示する。ユーザは表示画面を確認して削除ポイントの編集を所望する番組のタイトルを選択して、図１２のメニュー項目のうち‘削除ポイントの編集’を選択する。ＣＰＵ１０はリモコン１４から該選択指示を入力すると、図１６の処理を開始する。この処理開始時には図２（Ａ）〜（Ｄ）のデータ２５を除くデータはＨＤＤ５から読出されて、ＲＡＭ１２に一時的に置かれて更新されて、処理終了後はＨＤＤ５に戻されて元の内容に上書き（記録）されると想定する。
【０１４３】
まずＣＰＵ１０は、ＯＳＤ回路１５を介して出力部９に図１７の画面を表示する（Ｓ７０）。図１１の画面で選択された番組は実施の形態１の手順で削除ポイントが設定されていると想定する。図１７の画面は図１３の画面と同様に、番組データ長を示すライン２０、ライン２０上においてボックス３０と３１、カーソルＣＲ、領域４０およびメッセージボックス４１が表示されるとともに、カーソルＣＲで指示されてボックス上をカーソルキー１４３またはスキップボタン１４４の操作に従い移動するポインタＰＩが新たに表示される。ＣＰＵ１０はポインタＰＩがボックスの端で移動すると、その移動に合わせてライン２０に沿ってボックスを伸縮表示させる。ボックスが伸縮されることは、対応するデータの記録領域について、そのレンジ（大きさ）を大きくしたり小さくしたりして更新することを指す。
【０１４４】
領域４０には、ボックス（またはライン２０）上の現在のポインタＰＩの位置に対応するデータ２５の画像が表示される。該画像のデータは、ＣＰＵ１０によりＨＤＤ５から読出されて、デコーダ７を介してアナログ変換部８に出力される。これにより、ＯＳＤ回路１５から出力された描画データと合成されて図１７のような画面が表示される。
【０１４５】
メッセージボックス４１はポインタＰＩの移動に伴い移動して、ポインタＰＩ付近に位置して、ポインタＰＩはライン２０上を左右いずれの方向にも移動可能であることを指示する旨のメッツセージが示される。
【０１４６】
図１６に戻り、ＣＰＵ１０はカーソルＣＲとポインタＰＩを設定する（Ｓ７１）。例えば、１つ目のボックス３０の先頭であるポイントＰ１に設定する。そして、ポインタＰ１の現在位置に対応の画像は領域４０に表示される（Ｓ７２）。
【０１４７】
ユーザは領域４０の画像をモニタして、ポインタＰＩで現在指示されている削除部分の位置（記録領域）を適当と判断すると決定ボタン１４２を操作するので、ＣＰＵ１０が該ボタン操作の指示を入力して（Ｓ７３でＹＥＳ）、削除ポイントの編集（Ｓ７４）に移行する。
【０１４８】
削除ポイントの編集では、ＣＰＵ１０は決定ボタン１４２が操作された時のポインタＰＩの位置に対応したデータのインデックス時間データＩＴｋを特定し、ポインタＰＩの位置がボックスの開始端であれば、特定したインデックス時間データＩＴｋを新たな削除開始インデックスＩＤＳとして設定し、ボックスの終了端であれば新たな削除終了インデックスＩＤＥとして設定する。なお、ポインタＰＩが移動していない場合には編集処理を省略してもよい。
【０１４９】
その後、ユーザはリモコン１４の削除ボタン１４１を操作して、ＣＰＵ１０が削除指示を入力すると（Ｓ７５でＹＥＳ）、ＣＰＵ１０は現在ポインタＰＩが位置するボックスのデータについて前述の完全削除処理を実行する（Ｓ７６）。そして、該ボックスの表示をラインの表示に変更する（Ｓ７７）。
【０１５０】
完全削除処理を実行しライン表示へ変更した後、またはＳ７３で決定ボタン１４２が操作されない場合（Ｓ７３でＮＯ）、または削除入力がされない場合（Ｓ７５でＮＯ）は、ポインタＰＩの微調整の操作がなされるか否か判定される（Ｓ８０）。
【０１５１】
ユーザが現在のポインタＰＩの位置を微調整する場合にはカーソルキー１４３を操作するので（Ｓ８０でＹＥＳ）、ＣＰＵ１０はカーソルキー１４３の操作指示に従いポインタＰＩをライン２０に沿って移動させてその位置を設定し（Ｓ７１）、以降の処理を前述と同様に行う。微調整のための移動量および移動方向はカーソルキー１４３の操作内容に応じて決まる。
【０１５２】
ユーザは、現在のポインタＰＩの位置をスキップ移動させる場合にはスキップボタン１４４を操作するので（Ｓ８１でＹＥＳ）、ＣＰＵ１０はスキップボタン１４４の操作指示に従いポインタＰＩをライン２０に沿ってスキップ移動させてその位置を設定し（Ｓ７１）、以降の処理を前述と同様に行う。スキップ移動における単位時間当たりの移動量（移動速度）および移動方向はスキップボタン１４４の操作内容に応じて決まる。ここで、ポインタＰＩのスキップ移動とは、図１７を参照すると、ポインタＰＩをポイントＰ１からＰ２へ、Ｐ２からＰ３へ、Ｐ３からＰ４へ、またはＰ４からＰ３へ、Ｐ３からＰ２へ、Ｐ２からＰ１へと飛ばし移動させる状態をいう。
【０１５３】
その後、削除ポイントの編集を終了するユーザ操作がなされるまで（Ｓ８２でＹＥＳ）、処理は繰返される。編集処理が終了すると、ＣＰＵ１０は図１１または図１２の画面を表示して次の操作がなされるまで待機する。
【０１５４】
ここでは、領域４０にはポインタＰＩの位置に対応の画像を表示するとしているが、この画像は静止画であってもよく、ポインタＰＩが微調整されて移動しつつある状態では、移動の速度に合わせて動画が表示されるとしてもよい。
【０１５５】
このような編集手順が行われることにより、実施の形態１で指定された削除部分のデータについて、ユーザの了解の下に完全削除処理が実施されるから、削除部分の指定操作ミスのために必要なデータが誤って完全削除されるのを回避できる。また、完全削除の対象データを任意に変更できる。この編集手順により完全削除されたデータに対応の使用情報は全未使用データＡＵＦに更新されるから、ＨＤＤ５における該データが記録されていた領域を、新たなデータの書込み領域として利用できる。
【０１５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５７】
【図１】この発明の各実施の形態に係る記録再生装置の構成図である。
【図２】（Ａ）〜（Ｄ）はこの発明の各実施の形態に係る管理情報の内容例を示す図である。
【図３】（Ａ）と（Ｂ）は、この発明の実施の形態１に係る削除ポイントの設定手順を模式的に示す図である。
【図４】この発明の実施の形態１に係る削除ポイントの設定処理を含む記録動作のフローチャートである。
【図５】この発明の実施の形態１に係る削除ポイントの設定処理を含む再生動作の処理フローチャートである。
【図６】この発明の実施の形態２に係る削除ポイント設定後の再生動作の処理フローチャートである。
【図７】この発明の実施の形態２に係る有効／無効データを利用した再生の処理フローチャートである。
【図８】この発明の実施の形態３に係る有効／無効データの更新手順を示すフローチャートである。
【図９】この発明の実施の形態３に係る有効／無効データの更新時に表示される画面例を示す図である。
【図１０】この発明の実施の形態３に係る削除ポイントの更新の処理フローチャートである。
【図１１】この発明の実施の形態３に係る番組タイトル一覧画面を例示する図である。
【図１２】この発明の実施の形態３に係る操作メニュー画面を例示する図である。
【図１３】この発明の実施の形態３に係る削除ポイント更新の画面例を示す図である。
【図１４】この発明の実施の形態４に係る削除ポイントの編集手順の一例を示すフローチャートである。
【図１５】この発明の実施の形態４に係る削除ポイントの編集時に表示される画面の一例を示す図である。
【図１６】この発明の実施の形態４に係る削除ポイントの編集手順の他の例を示すフローチャートである。
【図１７】この発明の実施の形態４に係る削除ポイントの編集時に表示される画面の他の例を示す図である。
【符号の説明】
【０１５８】
５  ＨＤＤ、９  出力部、１０  ＣＰＵ、１４  リモコン、１５  ＯＳＤ回路、ＳＢ  システムブロック、ＤＢｉ  データブロック、ＭＰＴ  マッピングテーブル、ＩＤＳ  削除開始インデックス、ＩＤＥ  削除終了インデックス、ＡＰｊ  有効／無効データ、ＵＦ  使用データ、ＡＵＦ  全未使用データ、ＰＵＦ  一部未使用データ。
【図１】
2005196872.tif 000003
【図２】
2005196872.tif 000004
【図３】
2005196872.tif 000005
【図４】
2005196872.tif 000006
【図５】
2005196872.tif 000007
【図６】
2005196872.tif 000008
【図７】
2005196872.tif 000009
【図８】
2005196872.tif 000010
【図９】
2005196872.tif 000011
【図１０】
2005196872.tif 000012
【図１１】
2005196872.tif 000013
【図１２】
2005196872.tif 000014
【図１３】
2005196872.tif 000015
【図１４】
2005196872.tif 000016
【図１５】
2005196872.tif 000017
【図１６】
2005196872.tif 000018
【図１７】
2005196872.tif 000019